(57)【要約】【課題】  配線抵抗に起因するマージン不足を解消する。【解決手段】  ストローブコンパレータ（５１）の入力端子から引き出された第１ライン（Ｌ１３，Ｌ１４）と、それをストローブ伝送路に結合可能な第１外部端子（Ｔ１３，Ｔ１４）と、ストローブオフセット電流源（５４）から引き出された第２ライン（Ｌ１１，Ｌ１２）と、それを上記ストローブ伝送路に結合可能な第２外部端子（Ｔ１１，Ｔ１２）とを設ける。上記第１ライン及び上記第１外部端子と、上記第２ライン及び上記第２外部端子とを液晶駆動制御装置上で電気的に絶縁する。液晶駆動制御装置の外部で、第１配線（Ｌ２１，Ｌ２２）と第２配線（Ｌ１９，Ｌ２０）とをストローブ端子（Ｔ１７，Ｔ１８）に共通接続し、ストローブオフセット電流経路に上記第１配線を含めないようにすることで上記マージン不足を解消する。【選択図】        図１
2007079369.tif 000002
【特許請求の範囲】
【請求項１】
データ伝送路を介して伝送されたデータの有効性を示すストローブ信号を取り込むためのストローブコンパレータと、
上記ストローブ信号の伝送を可能とするストローブ伝送路に設けられた負荷抵抗に所定のオフセット電流を供給することによって、上記ストローブコンパレータの入力端子に所定のオフセット電位を生じさせるためのストローブオフセット電流源と、を含む液晶駆動制御装置であって、
上記ストローブコンパレータの入力端子から引き出された第１ラインと、
上記第１ラインを上記ストローブ伝送路に結合可能な第１外部端子と、
上記ストローブオフセット電流源から引き出された第２ラインと、
上記第２ラインを上記ストローブ伝送路に結合可能な第２外部端子と、を含み、
上記第１ライン及び上記第１外部端子と、上記第２ライン及び上記第２外部端子とは、上記液晶駆動制御装置上で電気的に絶縁されて成る液晶駆動制御装置。
【請求項２】
上記データ伝送路を介して伝送されたデータを取り込むためのデータコンパレータと、
上記データコンパレータの入力端子から引き出された第３ラインと、
上記第３ラインを上記データ伝送路に結合可能な第３外部端子と、
データを外部出力するためのデータドライバと、
上記データドライバの出力端子から引き出された第４ラインと、
上記第４ラインを上記データ伝送路に結合可能な第４外部端子と、を更に含み、
上記第３ライン及び上記第３外部端子と、上記第４ライン及び上記第４外部端子とは、上記液晶駆動制御装置上で電気的に絶縁されて成る請求項１記載の液晶駆動制御装置。
【請求項３】
情報表示を可能とする液晶表示部が形成された透明基板と、
上記透明基板に載置され、上記液晶表示部の駆動を可能とする液晶駆動部と、を含んで成る液晶パネルモジュールであって、
上記液晶駆動部を、請求項１又は２記載の液晶駆動制御装置とした液晶パネルモジュール。
【請求項４】
上記透明基板には、上記ストローブ伝達路が結合されるストローブ端子と、
上記ストローブ端子と、上記液晶駆動制御装置における上記第１外部端子とを結合する第１配線と、
上記第１配線を経由せずに、上記ストローブ端子と、上記液晶駆動制御装置における上記第２外部端子とを結合する第２配線と、が形成された請求項３記載の液晶パネルモジュール。
【請求項５】
上記透明基板には、上記ストローブ伝達路が結合されるストローブ端子と、
上記ストローブ端子と、上記液晶駆動制御装置における上記第１外部端子とを結合する第１配線と、
上記第１配線を経由せずに、上記ストローブ端子と、上記液晶駆動制御装置における上記第２外部端子とを結合する第２配線と、
上記データ伝送路が結合されるデータ端子と、
上記データ端子と、上記液晶駆動制御装置における上記第３外部端子とを結合する第３配線と、
上記第３配線を経由せずに、上記データ端子と、上記液晶駆動制御装置における上記第４外部端子とを結合する第４配線と、が形成された請求項３記載の液晶パネルモジュール。
【請求項６】
上記透明基板には、上記ストローブ伝達路が結合されるストローブ端子と、
上記ストローブ端子と、上記液晶駆動制御装置における上記第１外部端子とを結合する第１配線と、
液晶パネルモジュールの外部にて上記ストローブ伝達路に結合されたオフセット端子と、
上記第１配線を経由せずに、上記オフセット端子と、上記液晶駆動制御装置における上記第２外部端子とを結合する第２配線と、が形成された請求項３記載の液晶パネルモジュール。
【請求項７】
請求項３乃至６の何れか１項に記載の液晶パネルモジュールを含み、上記液晶パネルモジュールが筐体に支持されて成る携帯端末システム。
【発明の詳細な説明】
【技術分野】
【０００１】
本発明は、液晶駆動制御装置、液晶パネルモジュール及びそれを含む携帯端末システムに関し、例えば携帯電話機に適用して有効な技術に関する。
【背景技術】
【０００２】
携帯端末システムの一例とされる携帯電話機は、高周波インタフェース部、ベースバンド部、液晶駆動制御装置、液晶ディスプレイ、マイクロフォン、及びスピーカなどを備える。それら回路を収める筐体に折畳み構造が採用される場合には、一対の筐体がヒンジ部で開閉可能に結合される。一方の筐体に液晶駆動制御装置及び液晶ディスプレイが配置されるとき、液晶駆動制御装置に表示コマンドや表示データを与えるベースバンド部は高周波インタフェース部と共に他方の筐体に配置される場合が多い。ベースバンド部と液晶駆動制御装置が別々の筐体に配置されたとき、双方を接続する多数の信号線はヒンジ部を通ることになる。
【０００３】
上記ベースバンド部と液晶駆動制御装置とを接続する配線は、液晶駆動制御装置で駆動する液晶ディスプレイが高精細化し、表示色が増えるに従って増える傾向にある。更に携帯電話機の高機能化により、動画や静止画のモニタ画面などを構成するサブディスプレイ、そして、カメラフラッシュライト、イルミネーション表示のためのＬＥＤなど周辺デバイスを液晶ディスプレイと同じ筐体に配置する場合にはその制御のために更にインタフェース信号線の数が増える。従来の液晶駆動制御装置は、特許文献１に記載されるように、ベースバンド部から並列バスを介して表示データやコマンドが供給される。また、データやコマンドの供給には所定フォーマットのパケットを用いる場合が多い。そのような用途のパケットには特許文献２に記載されるもののほか、種々のフォーマットのものが利用されている。
【０００４】
【特許文献１】特開２００１−２２２２７６号公報
【特許文献２】特表２００４−５３１９１６号公報
【発明の開示】
【発明が解決しようとする課題】
【０００５】
液晶パネルモジュールは、情報表示を可能とする液晶表示部（液晶ディスプレイ）が形成されたガラス基板などの透明基板に、液晶駆動制御装置が搭載されて成る。このような液晶パネルモジュールが用いられる場合、ベースバンド部と、ガラス基板上の液晶駆動制御装置との間のロジック信号伝送技術として、配線数低減のため、ＶＥＳＡ規格に基づくシリアル伝送が利用され始めている。本願発明者は、図５に示されるようなＶＥＳＡ規格に基づくシリアル伝送について検討した。ベースバンド部４と液晶駆動制御装置１０とがＶＥＳＡ規格に基づくシリアル伝送路によって結合される。液晶駆動制御装置１０は、ホストインタフェース回路２０を含み、このホストインタフェース回路２０は、ストローブコンパレータ５１、データコンパレータ５２、及びデータ出力バッファ５３、及びオフセット電流源５４を含んで成る。ストローブ信号は、ベースバンド部４から液晶駆動制御装置１０へ伝送され、データ信号は双方向で伝送される。ベースバンド部４によってコンパレータ起動信号ＣＭＰ−ＳＴがローレベルからハイレベルに遷移されることで、ストローブコンパレータ５１やデータコンパレータ５２が起動される。ベースバンド部４からは電流が差動出力され、ストローブコンパレータ５１は、伝送路に設けられた負荷抵抗ＲＬ１に生ずる電位差で論理レベル（ハイレベル又はローレベル）を検出して信号伝送が行われる。かかる構成において、スタンバイモードから通常動作モードに遷移する際において、ストローブ信号ＳＴＲにノイズが重畳された場合の誤動作を防ぐため、オフセット電流源５４によりストローブオフセット電流Ｉｏｆを負荷抵抗ＲＬ１に印加することによって、この負荷抵抗ＲＬ１の端子間に所定のオフセット電位６３を生じさせるようしている。このようなオフセット電位６３が生ずることにより、ノイズに対すマージンが拡大されるため、ストローブ信号の伝送路にノイズが重畳された場合でも、ストローブコンパレータ５１が誤動作し難くなる。尚、ベースバンド部４からストローブ信号として供給される電流信号は、上記ストローブオフセット電流Ｉｏｆを打ち消し、ストローブコンパレータ５１のスレッショルドを越えるように設定されている。
【０００６】
しかしながら、本願発明者の検討によれば、図５に示されるようなＶＥＳＡ規格に基づくシリアル伝送においては、図７に示されるように、ガラス基板７０に液晶駆動制御装置１０を搭載した場合、ガラス基板７０上の配線抵抗のばらつきによる影響が大きいことが見いだされた。これについて以下に詳述する。
【０００７】
オフセット電流源５４によってストローブオフセット電流Ｉｏｆが供給されるとき、ストローブコンパレータ差動入力電位差Ｖｓｃは、次式によって示される。
【０００８】
Ｖｓｃ＝−Ｉｏｆ×（Ｒ１＋Ｒ２＋１００）………（１）
ベースバンド部４の出力電流Ｉｓによる差動電位差Ｖｓｔｂは、次式によって示される。
【０００９】
Ｖｓｔｂ＝Ｉｓ×１００………（２）
ベースバンド部４の出力電流Ｉｓによる差動電位差Ｖｓｔｂに、ストローブオフセット電流Ｉｏｆによりストローブコンパレータ差動入力電位差Ｖｓｃを加算した電位が、ストローブコンパレータのオフセット電位差Ｖｓｔｂofを越えると、ストローブコンパレータ５１の出力にベースバンド部４からのストローブ信号が出力される。これを式で表すと、次のようになる。
【００１０】
Ｖｓｔｂ−Ｖｓｃ＝Ｉｓ×１００−Ｉｏｆ×（Ｒ１＋Ｒ２＋１００）………（３）
（Ｉｓ−Ｉｏｆ）×１００−Ｉｏｆ×（Ｒ１＋Ｒ２）＞Ｖｓｔｂｏｆ………（４）
ガラス基板７０上の配線抵抗が無いとき、つまり、Ｒ１＝Ｒ２＝０が成立する場合、上記（４）式は、次式のようになる。
【００１１】
Ｖｓｔｂ−Ｖｓｃ＝（Ｉｓ−Ｉｏｆ）×１００＞Ｖｓｔｂｏｆ………（５）
（４）式は（５）式に対して、ばらつきがある項（Ｉｏｆ×（Ｒ１＋Ｒ２））が含まれており、これによるマージン不足が生じる。このマージン不足を解消するには、次の（Ａ），（Ｂ）の方法が考えられる。
【００１２】
（Ａ）抵抗Ｒ１,Ｒ２の低減として、液晶ドライバのストローブコンパレータの入力パッド数を増加させることにより、並列配線を可能とする。
【００１３】
（Ｂ）（４）式において、ばらつきがある項（Ｉｏｆ×（Ｒ１＋Ｒ２））が含まれていても動作するようにＩｓ,Ｉｏｆのばらつき抑える。
【００１４】
しかしながら、上記（Ａ）の場合には、並列配線を可能とするためのパッド数増加は液晶駆動制御装置１０のチップサイズを大幅に増大させるおそれがある。また、上記（Ｂ）の場合は出力電流の絶対値精度を上げる必要があり、そのような回路は必然的に複雑で大規模になることから、ベースバンド部４や液晶駆動制御装置１０のチップサイズの大幅な増大を招くおそれがある。
【００１５】
本発明の目的は、チップサイズの大幅な増大を伴わずに、配線抵抗に起因するマージン不足を解消するための技術を提供することにある。
【００１６】
本発明の上記並びにその他の目的と新規な特徴は本明細書の記述及び添付図面から明らかになるであろう。
【課題を解決するための手段】
【００１７】
本願において開示される発明のうち代表的なものの概要を簡単に説明すれば下記の通りである。
【００１８】
すなわち、データ伝送路を介して伝送されたデータの有効性を示すストローブ信号を取り込むためのストローブコンパレータと、上記ストローブ信号の伝送を可能とするストローブ伝送路に設けられた負荷抵抗に所定のオフセット電流を供給することによって、上記ストローブコンパレータの入力端子に所定のオフセット電位を生じさせるためのストローブオフセット電流源とを含む液晶駆動制御装置において、上記ストローブコンパレータの入力端子から引き出された第１ラインと、上記第１ラインを上記ストローブ伝送路に結合可能な第１外部端子と、上記ストローブオフセット電流源から引き出された第２ラインと、上記第２ラインを上記ストローブ伝送路に結合可能な第２外部端子とが設けられ、上記第１ライン及び上記第１外部端子と、上記第２ライン及び上記第２外部端子とは、上記液晶駆動制御装置上で電気的に絶縁される。
【００１９】
上記の手段によれば、第２ライン及び第２外部端子と、第１ライン及び第１外部端子とが電気的に絶縁されているため、液晶駆動制御装置の外部において、第１配線と、第２配線とを、ストローブ端子に共通接続することにより、ストローブオフセット電流源によるストローブオフセット電流の経路に第１配線を含まないようにできる。それにより上記液晶駆動制御装置を含むシステムにおいては、透明基板上の配線抵抗に起因するマージン不足を解消することができる。
【００２０】
このとき、上記データ伝送路を介して伝送されたデータを取り込むためのデータコンパレータと、上記データコンパレータの入力端子から引き出された第３ラインと、上記第３ラインを上記データ伝送路に結合可能な第３外部端子と、データを外部出力するためのデータドライバと、上記データドライバの出力端子から引き出された第４ラインと、上記第４ラインを上記データ伝送路に結合可能な第４外部端子と、を更に設け、上記第３ライン及び上記第３外部端子と、上記第４ライン及び上記第４外部端子とは、上記液晶駆動制御装置上で電気的に絶縁することができる。
【００２１】
情報表示を可能とする液晶表示部が形成された透明基板と、この透明基板に載置され、上記液晶表示部の駆動を可能とする液晶駆動部とを含んで液晶パネルモジュールが構成されるとき、上記液晶駆動部として上記液晶駆動制御装置を適用することができる。
【００２２】
このとき、上記透明基板には、上記ストローブ伝達路が結合されるストローブ端子と、上記ストローブ端子と、上記液晶駆動制御装置における上記第１外部端子とを結合する第１配線と、上記第１配線を経由せずに、上記ストローブ端子と、上記液晶駆動制御装置における上記第２外部端子とを結合する第２配線とが形成される。
【００２３】
上記透明基板には、上記ストローブ伝達路が結合されるストローブ端子と、上記ストローブ端子と、上記液晶駆動制御装置における上記第１外部端子とを結合する第１配線と、上記第１配線を経由せずに、上記ストローブ端子と、上記液晶駆動制御装置における上記第２外部端子とを結合する第２配線と、上記データ伝送路が結合されるデータ端子と、上記データ端子と、上記液晶駆動制御装置における上記第３外部端子とを結合する第３配線と、上記第３配線を経由せずに、上記データ端子と、上記液晶駆動制御装置における上記第４外部端子とを結合する第４配線とが形成される。
【００２４】
さらに、上記透明基板には、上記ストローブ伝達路が結合されるストローブ端子と、上記ストローブ端子と、上記液晶駆動制御装置における上記第１外部端子とを結合する第１配線と、液晶パネルモジュールの外部にて上記ストローブ伝達路に結合されたオフセット端子と、上記第１配線を経由せずに、上記オフセット端子と、上記液晶駆動制御装置における上記第２外部端子とを結合する第２配線とを形成することができる。
【００２５】
上記のように構成された液晶パネルモジュールを含んで携帯端末システムを構成することができる。
【発明の効果】
【００２６】
本願において開示される発明のうち代表的なものによって得られる効果を簡単に説明すれば下記の通りである。
【００２７】
すなわち、チップサイズの大幅な増大を伴わずに、配線抵抗に起因するマージン不足を解消することができる。
【発明を実施するための最良の形態】
【００２８】
図２には、本発明にかかる液晶駆動制御装置を含む携帯端末システムの一例である携帯電話機が示される。この携帯電話機１は以下のように構成される。
【００２９】
アンテナ２で受信された無線帯域の受信信号は高周波インタフェース部（ＲＦＩＦ）３に送られる。受信信号は高周波インタフェース部３でより低周波数の信号に変換されて、復調され、ディジタル信号に変換されて、ベースバンド部（ＢＢＰ）４に供給される。ベースバンド部４ではマイクロコンピュータ（ＭＣＵ）５などを用いてチャネルコーデック処理を行ない、受信したディジタル信号の秘匿を解除し、誤り訂正を行なう。そして、特定用途半導体デバイス（ＡＳＩＣ）６を用いて通信用の必要な制御データと圧縮音声データなどの通信データに分ける。制御データはＭＣＵ５に送られ、ＭＣＵ５は通信プロトコル処理などを行なう。チャネルコーデック処理で取り出された音声データはＭＣＵ５を用いて伸張され、音声データが音声インタフェース回路（ＶＣＩＦ）９でアナログ信号に変換され、スピーカ７より音声として再生される。送信動作では、マイク８から入力された音声信号は音声インタフェース回路９でディジタル信号に変換され、ＭＣＵ５などを用いてフィルタ処理され、圧縮音声データに変換される。ＡＳＩＣ６は圧縮音声データと、ＭＣＵ５からの制御データを合成して送信データ列を生成し、ＭＣＵ５を用いてそれに誤り訂正・検出符号、秘匿コードを付加して送信データを生成する。送信データは高周波インタフェース部３で変復され、変復された送信データは高周波数の信号に変換されて、増幅され、アンテナ２より無線信号として送出される。
【００３０】
ＭＣＵ５は液晶駆動制御装置（ＬＣＤＣＮＴ）１０に表示コマンド及び表示データなどを発行する。これによって液晶駆動制御装置１０は液晶表示部１１に画像を表示させる制御を行う。ＭＣＵ５は中央処理装置（ＣＰＵ）、ディジタル信号処理プロセッサ（ＤＳＰ）などの回路ユニットを備える。ＭＣＵ５は専ら通信用のベースバンド処理を担うベースバンドプロセッサと、表示制御やセキュリティー制御などの付加機能制御を専ら担うアプリケーションプロセッサとに分けて構成することも可能である。ＬＣＤＣＮＴ１０、ＡＳＩＣ６、ＭＣＵ５は、特に制限されないが、夫々個別半導体デバイスによって構成される。
【００３１】
図３には、上記携帯電話機１における主要部の構成が示される。
【００３２】
液晶駆動制御装置１０と液晶表示部１１とが、透明基板例えばガラス基板７０に形成されることで、液晶パネルモジュール３００が得られる。液晶駆動制御装置１０と液晶表示部１１とを結合するための配線は、透明電極膜で形成される。ベースバンド部４とガラス基板７０とは、可撓性を有するプリント配線基板７１により結合されている。ガラス基板７０上の透明電極膜は例えばＩＴＯ(Indium Tin Oxide)という物質で、それによる配線の抵抗値は、プリント配線基板７１のように銅などを材料とする配線の抵抗に比べて遙かに大きくなる。
【００３３】
図４には、上記液晶駆動制御装置１０の構成例が示される。
【００３４】
ベースバンド部４は、所定フォーマットのパケットを利用してホストインタフェース回路２０にコマンドやデータを伝達する。ホストインタフェース回路２０は、コマンドや表示データを差動端子ＤＡＴＡ±から受け取る。また、このコマンドや表示データの有効性を示すストローブ信号は差動端子ＳＴＢ±から受け取る。インタフェースコントローラ２１は、上記ホストインタフェース回路２０の動作を制御するとともに、コマンドアドレスをデコードしてレジスタ選択信号などを生成したり、データパケットのアドレス情報に基づいて表示メモリ（ＧＲＡＭ）４３に対するアドレシングを行なう。このとき、コマンドデータによるアクセス指示が表示メモリ４３に対する書き込み動作であれば、データパケットのデータがバス４１を介してライトデータレジスタ（ＷＤＲ）４２に供給され、タイミングを合わせて表示メモリ（ＧＲＡＭ）４３に格納される。表示データの格納は例えば表示フレーム単位などで行われる。コマンドデータによるアクセス指示が表示メモリ４３に対する読出し動作であれば、表示メモリ４３に格納されているデータはリードデータレジスタ（ＲＤＲ）４５に読出されて、ホスト装置に供給可能にされる。コマンドデータレジスタが表示コマンドを受け取ったとき表示メモリ４３は表示タイミングに同期した読出し動作が行われる。読出しや表示のタイミング制御はタイミングコントローラ（ＴＣＮＴ）２２が行なう。表示タイミングに同期して表示メモリ４３から読み出された表示データはラッチ回路を介してソースドライバ（ＤＲＶ）２３に与えられる。液晶駆動制御装置１０が駆動制御対象とする液晶表示部１１はドットマトリクス型のＴＦＴ（薄膜トランジスタ）液晶パネルによって構成され、信号電極としての多数のソース電極と、走査電極としての多数のゲート電極を駆動端子として有する。液晶表示部１１はガラス基板などの透明基板に形成される。そしてこの透明基板には、上記液晶駆動制御装置１０が搭載される。上記液晶表示部１１と上記液晶駆動制御装置１０とは、液晶パネルモジュールとして提供される。ソースドライバ２３は、駆動端子Ｓ１−７２０によって液晶表示部１１のソース電極を駆動する。駆動端子Ｓ１−７２０の駆動レベルは所定の階調電圧を用いて行われる。
【００３５】
図１には、上記液晶駆動制御装置１０におけるホストインタフェース回路２０（図４参照）の構成例、及びホストインタフェース回路２０とベースバンド部４との接続状態が示される。
【００３６】
液晶駆動制御装置１０は、公知の半導体集積回路製造技術により、単結晶シリコン基板などの一つの半導体基板に形成され、第１外部端子Ｔ１３，Ｔ１４、第２外部端子Ｔ１１，Ｔ１２、第３外部端子Ｔ１５，Ｔ１６を有する。この液晶駆動制御装置１０は、液晶表示部１１（図３参照）が形成されたガラス基板７０に搭載される。ガラス基板７０には、上記液晶駆動制御装置１０との電気的な結合を可能とするストローブ端子Ｔ１７，Ｔ１８、及びデータ端子Ｔ１９，Ｔ２０が設けられている。端子Ｔ１７，Ｔ１８は、それぞれストローブ伝送路Ｌ２５，Ｌ２６を介してベースバンド部４におけるストローブ出力バッファ４０１の差動出力端子に結合される。ストローブ伝送路Ｌ２５，Ｌ２６には、負荷抵抗（例えば１００Ω）ＲＬ１が接続されている。端子Ｔ１９，Ｔ２０は、それぞれデータ伝送路Ｌ２７，Ｌ２８を介してベースバンド部４におけるデータ出力バッファ４０２の差動出力端子に結合される。データ伝送路Ｌ２７，Ｌ２８には、負荷抵抗（例えば１００Ω）ＲＬ２が接続されている。
【００３７】
ホストインタフェース回路２０は、ストローブコンパレータ５１、データコンパレータ５２、及びデータ出力バッファ５３、及びオフセット電流源５４を含んで成る。ストローブ信号は、ベースバンド部４から液晶駆動制御装置１０へ伝送され、データ信号は双方向で伝送される。ベースバンド部４によってコンパレータ起動信号ＣＭＰ−ＳＴがローレベルからハイレベルに遷移されることで、ストローブコンパレータ５１やデータコンパレータ５２が起動される。ベースバンド部４からは電流が差動出力され、ストローブコンパレータ５１は、伝送路に設けられた負荷抵抗ＲＬ１に生ずる電位差で論理レベル（ハイレベル又はローレベル）を検出して信号伝送が行われる。
【００３８】
ストローブコンパレータ５１は、差動入力のための二つの入力端子（＋），（−）を有する。このストローブコンパレータ５１の二つの入力端子（＋），（−）から第１ラインＬ１３，Ｌ１４が引き出され、この第１ラインＬ１３，Ｌ１４は第１外部端子Ｔ１３，Ｔ１４に結合される。そしてこの第１外部端子Ｔ１３，Ｔ１４は、第１配線Ｌ２１，Ｌ２２を介してストローブ端子Ｔ１７，Ｔ１８に結合される。
【００３９】
オフセット電流源５４は、定電流源７５，７６と、スイッチ７３，７６を含んで成る。スイッチ７３，７４がオンされた状態で、定電流源７５，７６によるストローブオフセット電流Ｉｏｆの供給が可能とされる。このオフセット電流源５４から第２ラインＬ１１，Ｌ１２が引き出され、この第２ラインＬ１１，Ｌ１２は、第２外部端子Ｔ１１，Ｔ１２に結合される。そして、この第２外部端子Ｔ１１，Ｔ１２は、第２配線Ｌ１９，Ｌ２０を介してストローブ端子Ｔ１７，Ｔ１８に結合される。このとき、上記第１ラインＬ１３，Ｌ１４及び上記第１外部端子Ｔ１３，Ｔ１４と、上記第２ラインＬ１１，Ｌ１２及び上記第２外部端子Ｔ１１，Ｔ１２とは、上記液晶駆動制御装置１０上では電気的に絶縁されており、第１配線Ｌ１３，Ｌ１４と、第２配線Ｌ１１，Ｌ１２とが、ストローブ端子Ｔ１７，Ｔ１８に共通接続されることで、負荷抵抗ＲＬ１へのストローブオフセット電流Ｉｏｆの供給が可能とされる。
【００４０】
データコンパレータ５２は、差動入力のための二つの入力端子（＋），（−）を有する。このデータコンパレータ５２の二つの入力端子（＋），（−）から第３ラインＬ１５，Ｌ１６が引き出され、この第３ラインＬ１５，Ｌ１６は第３外部端子Ｔ１５，Ｔ１６に結合される。そしてこの第３外部端子Ｔ１５，Ｔ１６は、第３配線Ｌ２３，Ｌ２４を介してデータ端子Ｔ１９，Ｔ２０に結合される。これによって、ベースバンド部４のデータ出力バッファ４０２から出力されたデータをデータコンパレータ５２に取り込むことができる。
【００４１】
また、データ出力バッファ５３の差動出力端子から第４ラインＬ１７，Ｌ１８が引き出され、この第４ラインＬ１７，Ｌ１８は、液晶駆動制御装置１０内で上記第３ラインＬ１５，Ｌ１６に結合される。
【００４２】
上記構成の基本動作は、図５に示される場合と同様とされる。しかしながら本例では、以下のようにガラス基板７０上の配線抵抗に起因するマージン不足が解消されている。
【００４３】
第１配線Ｌ２１，Ｌ２２、第２配線Ｌ１９，Ｌ２０、第３配線Ｌ２３，Ｌ２４は、ガラス基板７０の透明電極層による配線であるため、それらの配線抵抗Ｒ１〜Ｒ６の値は、ストローブ伝送路Ｌ２５，Ｌ２６やデータ伝送路Ｌ２７，Ｌ２８のように可撓性を有するプリント配線基板７１に形成された配線に比べて遙かに大きい。しかしながら、上記第１ラインＬ１３，Ｌ１４及び上記第１外部端子Ｔ１３，Ｔ１４と、上記第２ラインＬ１１，Ｌ１２及び上記第２外部端子Ｔ１１，Ｔ１２とは、上記液晶駆動制御装置１０上では電気的に絶縁されており、第１配線Ｌ１３，Ｌ１４と、第２配線Ｌ１１，Ｌ１２とが、ストローブ端子Ｔ１７，Ｔ１８に共通接続されることで、負荷抵抗ＲＬ１へのストローブオフセット電流Ｉｏｆの供給が可能とされる構成となっているため、ストローブオフセット電流源５４によるストローブオフセット電流Ｉｏｆの電流経路に第１配線Ｌ２１，Ｌ２２は含まれない。つまり、ストローブオフセット電流Ｉｏｆが配線抵抗Ｒ１，Ｒ２には流れない。このため、上記（４）式において、ばらつきがある項（Ｉｏｆ×（Ｒ１＋Ｒ２））が、「０」となり、配線抵抗Ｒ１，Ｒ２が無い場合の上記（５）式と等価になる。したがって、図１に示される構成によれば、ガラス基板７０上の配線抵抗Ｒ１，Ｒ２に起因するマージン不足を解消することができる。しかも、図１に示される構成によれば、第２外部端子Ｔ１１，Ｔ１２が増えるものの、第１外部端子Ｔ１３，Ｔ１４を多数設け、それに対応して多数の第１配線Ｌ２１，Ｌ２２を並列接続することにより、配線抵抗Ｒ１，Ｒ２の配線抵抗値の縮小を図るのに比べて、外部端子数の増加を必要最小限とすることができるので、液晶駆動制御装置１０のチップサイズが大幅に増大することはない。
【００４４】
上記例によれば、以下の作用効果を得ることができる。
【００４５】
第２ラインＬ１１，Ｌ１２及び第２外部端子Ｔ１１，Ｔ１２と、第１ラインＬ１３，Ｌ１４及び第１外部端子Ｔ１３，Ｔ１４とが電気的に絶縁されているため、液晶駆動制御装置１０の外部において、第１配線Ｌ１３，Ｌ１４と、第２配線Ｌ１１，Ｌ１２とを、ストローブ端子Ｔ１７，Ｔ１８に共通接続することにより、ストローブオフセット電流源５４によるストローブオフセット電流Ｉｏｆの電流経路に第１配線Ｌ２１，Ｌ２２を含まないようにできる。それにより上記液晶駆動制御装置１０を含むシステムにおいては、ガラス基板７０上の配線抵抗Ｒ１，Ｒ２に起因するマージン不足を解消することができる。
【００４６】
以上本発明者によってなされた発明を具体的に説明したが、本発明はそれに限定されるものではなく、その要旨を逸脱しない範囲で種々変更可能であることはいうまでもない。
【００４７】
例えば、図８に示されるように、ガラス基板７０に、ストローブオフセット電流端子Ｔ２１，Ｔ２２を設け、このストローブオフセット電流端子Ｔ２１，Ｔ２２に第２配線Ｌ１９，Ｌ２０を結合する。そして、ストローブオフセット電流端子Ｔ２１，Ｔ２２からストローブオフセット電流伝達路Ｌ３１，Ｌ３２を介して、ストローブオフセット電流Ｉｏｆを負荷抵抗ＲＬ１に供給するようにしても良い。このようにしても、図１に示される場合と同様の作用効果を得ることができる。
【００４８】
また、図９に示されるように、データ出力バッファ５３の出力端子側の配線を、ストローブオフセット電流源の配線に揃えることにより、信号に対する遅延条件を揃えることができる。すなわち、液晶駆動制御装置１０に第４外部端子Ｔ２１，Ｔ２２を設け、第４ラインをこの第４外部端子Ｔ２１，Ｔ２２に結合する。そして、第４配線Ｌ２９，Ｌ３０により、上記第４外部端子Ｔ２１，Ｔ２２とデータ端子Ｔ１９，Ｔ２０とを結合する。第４配線Ｌ２９，Ｌ３０には、上記第２配線Ｌ１９，Ｌ２０における配線抵抗Ｒ５，Ｒ６に対応する配線抵抗Ｒ７，Ｒ８を有するため、ストローブ信号に関する配線と、データに関する配線とで、スキューを揃えることができるので、信号の伝送ミスを軽減することができる。
【００４９】
以上の説明では主として本発明者によってなされた発明をその背景となった利用分野である携帯電話機に適用した場合について説明したが、本発明はそれに限定されるものではなく、各種携帯端末システムに広く適用することができる。
【００５０】
本発明は、少なくともデータに基づいて液晶表示部を駆動することを条件に適用することができる。
【図面の簡単な説明】
【００５１】
【図１】本発明にかかる液晶駆動制御装置における主要部の構成例回路図である。
【図２】上記液晶駆動制御装置を含む携帯端末システムの一例である携帯電話機の全体的な構成例ブロック図である。
【図３】上記携帯電話機における主要部の構成例ブロック図である。
【図４】上記液晶駆動制御装置の全体的な構成例ブロック図である。
【図５】本発明にかかる液晶駆動制御装置における主要部の比較対象とされる装置の構成例回路図である。
【図６】図５に示される装置の主要動作のタイミング図である。
【図７】本発明にかかる液晶駆動制御装置における主要部の比較対象とされる装置の構成例回路図である。
【図８】本発明にかかる液晶駆動制御装置における主要部の別の構成例回路図である。
【図９】本発明にかかる液晶駆動制御装置における主要部の別の構成例回路図である。
【符号の説明】
【００５２】
１  携帯電話機
２  アンテナ
３  高周波インタフェース部
４  ベースバンド部
５  マイクロコンピュータ
６  特定用途半導体デバイス
７  スピーカ
８  マイク
９  音声インタフェース回路
１０  液晶駆動制御装置
１１  液晶表示部
２０  ホストインタフェース回路
２１  インタフェースコントローラ
２２  タイミングコントローラ
２３  ソースドライバ
４２  ライトデータレジスタ
４３  表示メモリ
４５  リードデータレジスタ
７０  ガラス基板
７１  可撓性を有するプリント配線基板
３００  液晶パネルモジュール
ＲＬ１，ＲＬ２  負荷抵抗
Ｌ１３，Ｌ１４  第１ライン
Ｌ１１，Ｌ１２  第２ライン
Ｌ１５，Ｌ１６  第３ライン
Ｌ１７，Ｌ１８  第４ライン
Ｌ２１，Ｌ２２  第１配線
Ｌ１９，Ｌ２０  第２配線
Ｌ２３，Ｌ２４  第３配線
Ｌ２９，Ｌ３０  第４配線
Ｌ２５，Ｌ２６  ストローブ伝送路
Ｌ２７，Ｌ２８  データ伝送路
Ｔ１３，Ｔ１４  第１外部端子
Ｔ１１，Ｔ１２  第２外部端子
Ｔ１５，Ｔ１６  第３外部端子
Ｔ１７，Ｔ１８  ストローブ端子
Ｔ１９，Ｔ２０  データ端子
【図１】
2007079369.tif 000003
【図２】
2007079369.tif 000004
【図３】
2007079369.tif 000005
【図４】
2007079369.tif 000006
【図５】
2007079369.tif 000007
【図６】
2007079369.tif 000008
【図７】
2007079369.tif 000009
【図８】
2007079369.tif 000010
【図９】
2007079369.tif 000011